(57)【要約】【課題】ビニールハウスのパイプ材等の棒状体の交差部において棒状体を容易に連結固定したり、取り外したりすることが可能であり、連結固定した際にはパイプに重量が掛かったり振動したりした場合であっても容易に外れることがない棒状体の連結具の提供。【解決手段】第１のパイプ材Ｐ１の中途部に引っ掛けるフック部２と、第２のパイプ材Ｐ２の先端部を覆うカバー部３と、カバー部３の端部から第２のパイプ材Ｐ２に沿って延設され、フック部２とともに第１のパイプ材Ｐ１およびこれに交差する第２のパイプ材Ｐ２の先端部を挟持する挟持部４と、フック部２の第２の端部から第２のパイプ材Ｐ２に沿って延設された第１のフランジ部５と、挟持部４の端部から第１のフランジ部５に対面する位置に延設され、第２のパイプ材Ｐ２を跨ぐ位置で第１のフランジ部５と締め付けられる第２のフランジ部６とを有する。【選択図】図２
2018093773.tif 000002
【特許請求の範囲】
【請求項１】
第１の棒状体の中途部に第２の棒状体の先端部を交差させて連結する棒状体の連結具であって、
前記第１の棒状体の中途部に引っ掛けるフック部と、
前記フック部の第１の端部に接続され、前記第２の棒状体の先端部を覆うカバー部と、
前記カバー部の端部から前記第２の棒状体に沿って延設され、前記フック部とともに前記第１の棒状体およびこの第１の棒状体に交差する第２の棒状体の先端部を挟持する挟持部と、
前記フック部の第２の端部から前記第２の棒状体に沿って延設された第１のフランジ部と、
前記挟持部の端部から前記第１のフランジ部に対面する位置に延設された第２のフランジ部であり、前記第２の棒状体を跨ぐ位置で前記第１のフランジ部と締め付けられる第２のフランジ部と
を有する棒状体の連結具。
【請求項２】
前記第１のフランジ部および前記第２のフランジ部は、それぞれ前記第２の棒状体を跨ぐ位置に前記第１のフランジ部と前記第２のフランジ部とをボルトにより締め付けるための孔を有するものである請求項１記載の棒状体の連結具。
【請求項３】
前記フック部は、内側の中央部に外側に向かって凸状の空間を有するものである請求項１または２に記載の棒状体の連結具。
【請求項４】
前記第２のフランジ部は、前記第２の棒状体を支持する凹部を有するものである請求項１から３のいずれか１項に記載の棒状体の連結具。
【請求項５】
前記第１のフランジ部および第２のフランジ部のいずれか一方または両方に前記第２の棒状体にビス留めするための孔を有する請求項１から４のいずれか１項に記載の棒状体の連結具。
【発明の詳細な説明】
【技術分野】
【０００１】
本発明は、棒状体の交差部において棒状体を連結固定する棒状体の連結具に関する。
【背景技術】
【０００２】
従来、パイプ材を組み上げてビニールハウスを構築する際、パイプ材の交差部において両パイプ材を連結固定する連結具が用いられる（例えば、特許文献１参照。）。図１３は従来の連結具を示す正面図である。図１３に示す連結具Ｘは、アーチ状の横パイプ１００を内部に挿通可能とし、この横パイプ１００と直交状態に配置する縦パイプ２００を挿通する切欠部３１０を形成した本体金具３００と、この本体金具３００の下端部と縦パイプ２００の下側周面との間に嵌入して、両パイプ１００，２００を強く押圧して緊締する楔４００とを具備する。
【０００３】
この連結具Ｘの取り付けの際は、本体金具３００の切欠部３１０に縦パイプ２００を通すようにして横パイプ１００と縦パイプ２００の交差部に上側から被せ、本体金具３００の下端部と縦パイプ２００の下側周面との間に楔４００を嵌入し、ハンマー等を用いて打ち込むことにより、両パイプ１００，２００を強く押圧して緊締する。
【０００４】
また、特許文献２には、楔式パイプ締結用金具で、Ｔ字形に交差することを目的とする締結具として、パイプを十字に固定する楔式の締結金具において、本体下部のパイプ交差用の切欠部の一方にカバーを設けたものが開示されている。
【先行技術文献】
【特許文献】
【０００５】
【特許文献１】特開２００２−２８６００７号公報（段落０００２〜０００３、図６）
【特許文献２】登録実用新案第３０４６７０９号公報
【発明の概要】
【発明が解決しようとする課題】
【０００６】
しかしながら、上記従来の連結具Ｘでは、横パイプ１００および縦パイプ２００に重量が掛かったときや振動等により楔４００がずれたり外れたりすることがある。また、楔４００がずれた際にビニールハウスのフィルム材を傷付けたり、破ったりすることがある。さらに、上記従来の連結具Ｘでは、取り外し作業時には、取り付け時とは反対側から楔４００をハンマー等で叩いて取り外さなければならないため、手間や時間が掛かるという問題がある。
【０００７】
そこで、本発明においては、ビニールハウスのパイプ材等の棒状体の交差部において棒状体を容易に連結固定したり、取り外したりすることが可能であり、連結固定した際にはパイプに重量が掛かったり振動したりした場合であっても容易に外れることがない棒状体の連結具を提供することを目的とする。
【課題を解決するための手段】
【０００８】
本発明の棒状体の連結具は、第１の棒状体の中途部に第２の棒状体の先端部を交差させて連結する棒状体の連結具であって、第１の棒状体の中途部に引っ掛けるフック部と、フック部の第１の端部に接続され、第２の棒状体の先端部を覆うカバー部と、カバー部の端部から第２の棒状体に沿って延設され、フック部とともに第１の棒状体およびこの第１の棒状体に交差する第２の棒状体の先端部を挟持する挟持部と、フック部の第２の端部から第２の棒状体に沿って延設された第１のフランジ部と、挟持部の端部から第１のフランジ部に対面する位置に延設された第２のフランジ部であり、第２の棒状体を跨ぐ位置で第１のフランジ部と締め付けられる第２のフランジ部とを有するものである。
【０００９】
本発明の棒状体の連結具によれば、第１の棒状体の中途部に第２の棒状体の先端部を交差させて連結する際に、第１の棒状体の中途部にフック部を引っ掛け、第２の棒状体を跨ぐ位置で第１のフランジ部と第２のフランジ部とを締め付けると、フック部および挟持部により第１の棒状体および第２の棒状体が挟持され、第１の棒状体と第２の棒状体とが連結固定される。また、本発明の棒状体の連結具では、第２の棒状体の先端部はカバー部により覆われているため、本発明の棒状体の連結具より前方へ飛び出すことがない。
【００１０】
ここで、第１のフランジ部および第２のフランジ部は、それぞれ第２の棒状体を跨ぐ位置に第１のフランジ部と第２のフランジ部とをボルトにより締め付けるための孔を有するものであることが望ましい。これにより、第１のフランジ部および第２のフランジ部の孔を利用して第１のフランジ部と第２のフランジ部とをボルトにより簡単に締め付けることが可能となる。また、本発明の棒状体の連結具を取り外す際には、ボルトを緩めることで簡単に取り外すことが可能となる。
【００１１】
また、フック部は、内側の中央部に外側に向かって凸状の空間を有するものであることが望ましい。これにより、第１の棒状体が直線状ではなく、第１の棒状体が第２の棒状体側に曲がった形状であっても、この曲がった凸状部分がフック部の凸状の空間内に収まり、第１の棒状体と第２の棒状体とを連結固定することが可能となる。
【００１２】
また、第２のフランジ部は、第２の棒状体を支持する凹部を有するものであることが望ましい。これにより、第１のフランジ部と第２のフランジ部とにより挟持される第２の棒状体が凹部により支持されるため、第２の棒状体がずれるのを防止することが可能となる。
【００１３】
また、本発明の棒状体の連結具は、第１のフランジ部および第２のフランジ部のいずれか一方または両方に第２の棒状体にビス留めするための孔を有することが望ましい。これにより、第２の棒状体を第１のフランジ部または第２のフランジ部にビス留めすることで、第２の棒状体をずれなくすることが可能となる。
【発明の効果】
【００１４】
（１）第１の棒状体の中途部に引っ掛けるフック部と、フック部の第１の端部に接続され、第２の棒状体の先端部を覆うカバー部と、カバー部の端部から第２の棒状体に沿って延設され、フック部とともに第１の棒状体およびこの第１の棒状体に交差する第２の棒状体の先端部を挟持する挟持部と、フック部の第２の端部から第２の棒状体に沿って延設された第１のフランジ部と、挟持部の端部から第１のフランジ部に対面する位置に延設された第２のフランジ部であり、第２の棒状体を跨ぐ位置で第１のフランジ部と締め付けられる第２のフランジ部とを有する構成により、ビニールハウスのパイプ材等の棒状体の交差部において棒状体を容易に連結固定したり、取り外したりすることが可能となり、連結固定した際にはパイプに重量が掛かったり振動したりした場合であっても容易に外れることがない。
【００１５】
（２）第１のフランジ部および第２のフランジ部が、それぞれ第２の棒状体を跨ぐ位置に第１のフランジ部と第２のフランジ部とをボルトにより締め付けるための孔を有する構成により、第１のフランジ部および第２のフランジ部の孔を利用して第１のフランジ部と第２のフランジ部とをボルトにより簡単に締め付けたり、ボルトを緩めることで簡単に取り外したりすることが可能となる。
【００１６】
（３）フック部が内側の中央部に外側に向かって凸状の空間を有するものであることにより、第１の棒状体が直線状のものだけでなく、第１の棒状体が第２の棒状体側に曲がった形状であっても、本発明の棒状体の連結具を用いて第１の棒状体と第２の棒状体とを連結固定することが可能となる。
【００１７】
（４）第２のフランジ部が第２の棒状体を支持する凹部を有するものであることにより、第２の棒状体がずれるのを防止することが可能となる。
【００１８】
（５）第１のフランジ部および第２のフランジ部のいずれか一方または両方に第２の棒状体にビス留めするための孔を有することにより、第２の棒状体を第１のフランジ部または第２のフランジ部にビス留めすることで、第２の棒状体をずれなくすることが可能となる。
【図面の簡単な説明】
【００１９】
【図１】本発明の実施の形態における棒状体の連結具の斜視図である。
【図２】図１の連結具の正面図である。
【図３】図１の連結具の左側面図である。
【図４】図１の連結具の右側面図である。
【図５】図１の連結具の平面図である。
【図６】図１の連結具の底面図である。
【図７】図１の連結具の使用状態を示す斜視図である。
【図８】図７のＡ部拡大図である。
【図９】図７のＢ部拡大図である。
【図１０】図７のＣ部拡大図である。
【図１１】図７のＤ部拡大図である。
【図１２】第１のパイプ材の曲がった部分に図１の連結具を使用した状態を示す右側面図である。
【図１３】従来の連結具を示す正面図である。
【発明を実施するための形態】
【００２０】
図１は本発明の実施の形態における棒状体の連結具の斜視図、図２は正面図、図３は左側面図、図４は右側面図、図５は平面図、図６は底面図、図７は図１の連結具の使用状態を示す斜視図、図８は図７のＡ部拡大図、図９は図７のＢ部拡大図、図１０は図７のＣ部拡大図、図１１は図７のＤ部拡大図である。
【００２１】
図７〜図１１に示すように、本発明の実施の形態における棒状体の連結具１は、ビニールハウスＨを構成する第１の棒状体としてのパイプ材Ｐ１の中途部に第２の棒状体としてのパイプ材Ｐ２の先端部を交差させて連結するものである。
【００２２】
図１〜図６に示すように、連結具１は、第１のパイプ材Ｐ１の中途部に引っ掛けるフック部２と、フック部２の第１の端部（基端部）２Ａに接続され、第２のパイプ材Ｐ２の先端部を覆うカバー部３と、カバー部３の端部から第２のパイプ材Ｐ２に沿って延設され、フック部２とともに第１のパイプ材Ｐ１およびこの第１のパイプ材Ｐ１に交差する第２のパイプ材Ｐ２の先端部を挟持する挟持部４とを有する。
【００２３】
フック部２は、第１のパイプ材Ｐ１よりも若干大きめの内径の半円筒状（略Ｕ字状）である。図３に示すように、フック部２の第１のパイプ材Ｐ１の延びる方向の両端部は、第２パイプ材Ｐ２側、すなわち挟持部４側に向かって傾斜している。これにより、フック部２の内側の中央部には、直線状のパイプ材Ｐ１を保持した状態において、外側に向かって凸状の空間２０が形成されている。
【００２４】
フック部２の第２の端部（先端部）２Ｂからは、第２のパイプ材Ｐ２に沿って第１のフランジ部５が延設されている。一方、挟持部４の端部からは、この第１のフランジ部５に対面する位置に第２のフランジ部６が延設されている。第１のフランジ部５および第２のフランジ部６は、それぞれ第２のパイプ材Ｐ２を跨ぐ位置に第１のフランジ部５と第２のフランジ部６とをボルト７Ａおよびナット７Ｂにより締め付けるための孔８を有する。この孔８を利用することで、第２のフランジ部６は、第２のパイプ材Ｐ２を跨ぐ位置で第１のフランジ部５と締め付けられる。
【００２５】
なお、第１のフランジ部５および第２のフランジ部６は、図２に示すように、それぞれ断面凹状に形成されている。孔８は、この凹状のそれぞれの底面部５０，６０に形成されている。第１のフランジ部５の凹状の側壁部５１，５２間の幅Ｗは、ボルト７Ａの２面幅を保持してその回転を拘束可能な幅に形成されており、ボルト７Ａに対してナット７Ｂを締め付ける際にボルト７Ａが回転しないようになっている。また、第２のフランジ部６の凹状の側壁部６１には、第２のパイプ材Ｐ２を支持する凹部６２が形成されている。凹部６２は第２のパイプ材Ｐ２の外形に対応する円弧状に形成されている。
【００２６】
また、第１のフランジ部５および第２のフランジ部６には、第２のパイプ材Ｐ２にビス留めするための孔９が設けられている。
【００２７】
カバー部３と挟持部４との接続部は、図２に示すように曲面状に形成されているが、この接続部には図１に示すように切欠き部１０が形成されている。この切欠き部１０によって、図１に示すように第２のパイプ材Ｐ２の先端部の逃げ空間が確保され、カバー部３と挟持部４との接続部が曲面状であるにもかかわらず、第２のパイプ材Ｐ２の先端部をカバー部３に当接する位置まで挿入することが可能となっている。
【００２８】
上記構成の連結具１は、図７〜図１１に示すように、アーチ状の第１のパイプ材Ｐ１と、第１のパイプ材Ｐ１に直交状態に配置する第２のパイプ材Ｐ２とを組み上げてビニールハウスＨを構築する際に使用する。連結具１は、第１のパイプ材Ｐ１の中途部にフック部２を引っ掛け、第２のパイプ材Ｐ２を跨ぐ位置で第１のフランジ部５と第２のフランジ部６とをボルト７Ａおよびナット７Ｂにより締め付ける。これにより、フック部２および挟持部４によって第１のパイプ材Ｐ１および第２のパイプ材Ｐ２が挟持され、第１のパイプ材Ｐ１と第２のパイプ材Ｐ２とが連結固定される。
【００２９】
このように、本実施形態における連結具１では、第１のパイプ材Ｐ１および第２のパイプ材Ｐ２を連結具１に挟んで第１のフランジ部５および第２のフランジ部６により締め付けるだけで容易に連結固定することが可能である。そして、この連結具１では、第１のフランジ部５および第２のフランジ部６の締め付けにより第１のパイプ材Ｐ１および第２のパイプ材Ｐ２が固定されているため、パイプに重量が掛かったり振動したりした場合であっても容易に外れることがない。
【００３０】
特に、本実施形態における連結具１では、第１のフランジ部５および第２のフランジ部６が、それぞれ第２のパイプ材Ｐ２を跨ぐ位置に第１のフランジ部５と第２のフランジ部６とをボルト７Ａにより締め付けるための孔８を有するので、これらの孔８を利用して第１のフランジ部５と第２のフランジ部６とをボルト７Ａにより簡単に締め付けたり、ボルト７Ａを緩めることで簡単に取り外したりすることが可能となっている。
【００３１】
また、本実施形態における連結具１では、第２のパイプ材Ｐ２の先端部はカバー部３により覆われているため、第２のパイプ材Ｐ２はこの連結具１より前方へ飛び出すことがない。そのため、この第２のパイプ材Ｐ２によりビニールハウスＨのフィルム材を傷付けたり、破ったりすることがない。
【００３２】
また、本実施形態における連結具１では、第２のフランジ部６が第２のパイプ材Ｐ２を支持する凹部６２を備えることで、第２のパイプ材Ｐ２が第１のパイプ材Ｐ１の延びる方向への移動が拘束されており、第２のパイプ材Ｐ２のずれが防止されている。なお、図示例では、パイプ材Ｐ１とパイプ材Ｐ２とは直交するように交差しているが、第２のパイプ材Ｐ２はパイプ材Ｐ１と直交している必要はなく、斜めに配置することも可能である。この場合、第２のパイプ材Ｐ２は、第２のパイプ材Ｐ２を跨ぐ位置に形成されている孔８に締め付けられるボルト７Ａとの隙間の範囲内で第１のパイプ材Ｐ１の延びる方向に傾斜させることが可能である。なお、本実施形態における連結具１では、凹部６２の位置を中心として第１のパイプ材Ｐ１の延びる方向に傾斜させた配置とすることが可能である。なお、凹部６２は省略することも可能である。
【００３３】
また、本実施形態における連結具１では、第１のフランジ部５および第２のフランジ部６に、第２のパイプ材Ｐ２にビス留めするための孔９が設けられているため、第１のパイプ材Ｐ１と第２のパイプ材Ｐ２とを連結固定した後、この孔９を利用して第１のフランジ部５または第２のフランジ部６にビス留めすることで、第２のパイプ材Ｐ２がその延びる方向に移動するのを防止することができ、第２のパイプ材Ｐ２をずれなくすることが可能である。
【００３４】
また、本実施形態における連結具１では、フック部２に凸状の空間２０を有しているため、図８および図１１に示すように連結具１により固定する第１のパイプ材Ｐ２の中途部が直線状の部分だけでなく、図９および図１０に示すように第２のパイプ材Ｐ２側に曲がっている部分であっても使用することが可能である。すなわち、図１２に示すように、第１のパイプ材Ｐ１の曲がった凸状部分がフック部２の凸状の空間２０内に収まり、第１のパイプ材Ｐ１と第２のパイプ材Ｐ２とを連結固定することが可能となっている。なお、図９および図１０においては、ボルト７Ａおよびナット７Ｂの図示を省略しており、第２のパイプ材Ｐ２と挟持部４との間に隙間が空いているが、実際にはボルト７Ａおよびナット７Ｂにより締め付けることで、この隙間は解消される。
【産業上の利用可能性】
【００３５】
本発明の棒状体の連結具は、ビニールハウスのパイプ材等の棒状体の交差部において棒状体を容易に連結固定したり、取り外したりすることが可能な連結具として有用である。
【符号の説明】
【００３６】
Ｐ１  第１のパイプ材
Ｐ２  第２のパイプ材
１  連結具
２  フック部
３  カバー部
４  挟持部
５  第１のフランジ部
６  第２のフランジ部
７Ａ  ボルト
７Ｂ  ナット
８，９  孔
１０  切欠き部
【図１】
2018093773.tif 000003
【図２】
2018093773.tif 000004
【図３】
2018093773.tif 000005
【図４】
2018093773.tif 000006
【図５】
2018093773.tif 000007
【図６】
2018093773.tif 000008
【図７】
2018093773.tif 000009
【図８】
2018093773.tif 000010
【図９】
2018093773.tif 000011
【図１０】
2018093773.tif 000012
【図１１】
2018093773.tif 000013
【図１２】
2018093773.tif 000014
【図１３】
2018093773.tif 000015